(57)【要約】【課題】複数種類の毛髪処理剤を混合して毛髪処理を行う場合に、毛髪処理剤の予備混合を省略でき、毛髪処理剤を無駄にすることなく、毛髪保持体内に供給した毛髪処理剤をしごいて広げるだけで簡便に毛髪処理を行うことができる毛髪処理具及び毛髪処理方法を提供すること。【解決手段】一端部の開口部（２１）から他端部（２２）に向けて毛髪束Ｈを挿入して保持する筒状の毛髪保持体２と、毛髪保持体２内に注入される適量の複数種類の毛髪処理剤Ｄがそれぞれ個別に封入された複数の個袋３０を備えた充填袋３とからなり、個袋３０を開封して毛髪処理剤Ｄを毛髪保持体２内に注入し、毛髪保持体３をしごいて毛髪処理剤Ｄを広げて使用する毛髪処理具１であって、毛髪保持体２は、一端部の開口部に毛髪束Ｈの挿入口２１を有し且つ他端部の開口部に毛髪処理剤Ｄの注入口２２を有し、前記複数種類の毛髪処理剤Ｄは、その粘度が０．４〜９０００ｍＰａ・ｓである。【選択図】図５
2009100961.tif 000002
【特許請求の範囲】
【請求項１】
一端部の開口部から他端部に向けて毛髪束を挿入して保持する筒状の毛髪保持体と、該毛髪保持体内に注入される適量の複数種類の毛髪処理剤がそれぞれ個別に封入された複数の個袋を備えた充填袋とからなり、
前記個袋を開封して前記毛髪処理剤を前記毛髪保持体内に注入し、該毛髪保持体をしごいて該毛髪処理剤を広げて使用する毛髪処理具であって、
前記毛髪保持体は、一端部の開口部に毛髪束の挿入口を有し且つ他端部の開口部に毛髪処理剤の注入口を有し、
前記複数種類の前記毛髪処理剤は、その粘度が０．４〜９０００ｍＰａ・ｓである毛髪処理具。
【請求項２】
前記個袋は、開封したときに前記注入口に挿入可能な口部が形成されるようになされている請求項１に記載の毛髪処理具。
【請求項３】
前記充填袋は、複数の前記個袋が一体化されて構成されている請求項１又は２に記載の毛髪処理具。
【請求項４】
前記個袋は、その一面が他面よりも剛性が高くなされている請求項１〜３の何れかに記載の毛髪処理具。
【請求項５】
請求項２に記載の毛髪処理具を使用した毛髪処理方法であって、
処理を施す毛髪束を前記挿入口から挿入して前記毛髪保持体内に保持した後、前記充填袋の前記口部を前記注入口から挿入して、前記毛髪処理剤を該毛髪保持体内に注入し、前記毛髪保持体をしごいて前記毛髪処理剤を広げて前記毛髪束に処理を施す毛髪処理方法。
【発明の詳細な説明】
【技術分野】
【０００１】
本発明は、毛髪に部分的な染色やパーマネント等の処理を施す毛髪処理具及びそれを使用した毛髪処理方法に関する。
【背景技術】
【０００２】
一般的な染毛剤は、第１剤及び第２剤に分かれており、使用時にそれらを混合して使用されるが、従来においては、染毛剤は、トレー等の上で必要量の第１剤，第２剤を秤量し、両剤をハケ等で混合してから使用したり、あるいは第１剤、第２剤の入ったボトルやチューブを利用してそれらの中で予め混合してから使用することが一般的であった。これらの方法では、予め混合する（予備混合）という手間が掛かる上、予備混合のための道具も必要になり、面倒なだけでなく、一度予備混合した剤は、余ったとしても、その保存が効かないため捨てるしかなく、不経済であった。
【０００３】
近年、毛髪に部分的に染色やパーマネント等の処理を施すことが行われている。このような処理を施すときに使用される器具として、例えば、下記特許文献１に記載された毛髪処理具が提案されている。この毛髪処理具は、可撓性の筒状体から構成される毛髪保持体と、この毛髪保持体内に毛髪処理剤を注入する注入具とから構成されており、この毛髪処理具によれば、開口部から毛髪を毛髪保持体内へ導いて保持し、毛髪保持体内に毛髪処理剤を注入して、毛髪処理を行うことができる。このような毛髪保持体は、その形成材料として毛髪処理剤に対して非透過性の材料を用いることにより、毛髪保持体に挿入されていない毛髪に毛髪処理剤が触れることを防止できるので、毛髪の一部のみに効果的に処理を施すことができる。
【０００４】
【特許文献１】特開２００４−４１７２３号公報
【発明の開示】
【発明が解決しようとする課題】
【０００５】
しかし、特許文献１に記載された毛髪処理具においては、毛髪処理剤を塗布しながら毛髪を毛髪保持体に挿入するため、前述した従来の技術と同様に、毛髪処理剤の予備混合が必要であり、また、その他の問題点を解決することができない。
【０００６】
従って、本発明の目的は、一端部の開口部から他端部に向けて毛髪束を挿入して保持する筒状の毛髪保持体を備えた毛髪処理具において、複数種類の毛髪処理剤を混合して毛髪処理を行う場合に、毛髪に供給する前における毛髪処理剤の予備混合を省略でき、毛髪処理剤を無駄にすることなく、毛髪保持体内に供給した毛髪処理剤をしごいて広げるだけで簡便に毛髪処理を行うことができる毛髪処理具及び毛髪処理方法を提供することにある。
【課題を解決するための手段】
【０００７】
本発明は、一端部の開口部から他端部に向けて毛髪束を挿入して保持する筒状の毛髪保持体と、該毛髪保持体内に注入される適量の複数種類の毛髪処理剤がそれぞれ個別に封入された複数の個袋を備えた充填袋とからなり、前記個袋を開封して前記毛髪処理剤を前記毛髪保持体内に注入し、該毛髪保持体をしごいて該毛髪処理剤を広げて使用する毛髪処理具であって、前記毛髪保持体は、一端部の開口部に毛髪束の挿入口を有し且つ他端部の開口部に毛髪処理剤の注入口を有し、前記複数種類の前記毛髪処理剤は、その粘度が０．４〜９０００ｍＰａ・ｓである毛髪処理具を提供することにより、上記目的を達成したものである。
【０００８】
また、本発明は、前記毛髪保持体、及び開封したときに前記注入口に挿入可能な口部が形成されるようになされている前記個袋を備えた前記充填袋とからなる毛髪処理具を使用した毛髪処理方法であって、処理を施す毛髪束を前記挿入口から挿入して前記毛髪保持体内に保持した後、前記充填袋の前記口部を前記注入口から挿入して、前記毛髪処理剤を該毛髪保持体内に注入し、前記毛髪保持体をしごいて前記毛髪処理剤を広げて前記毛髪束に処理を施す毛髪処理方法を提供することにより、前記目的を達成したものである。
【発明の効果】
【０００９】
本発明の毛髪処理具及び毛髪処理方法によれば、一端部の開口部から他端部に向けて毛髪束を挿入して保持する筒状の毛髪保持体を備えた毛髪処理具において、複数種類の毛髪処理剤を混合して毛髪処理を行う場合に、毛髪に供給する前における毛髪処理剤の予備混合を省略でき、毛髪処理剤を無駄にすることなく、毛髪保持体内に供給した毛髪処理剤をしごいて広げるだけで簡便に毛髪処理を行うことができる。
【発明を実施するための最良の形態】
【００１０】
以下、本発明の毛髪処理具について、その好ましい実施形態に基づいて、図面を参照しながら説明する。
図１〜図４は、本発明の毛髪処理具を染毛処理具に適用した第１実施形態を示すものである。これらの図に示すように、第１実施形態の毛髪処理具１は、毛髪束が挿入されて保持される筒状の毛髪保持体２と、毛髪保持体２内に注入される適量の２種類の染毛剤（毛髪処理剤）がそれぞれ個別に封入された２個の個袋３０（３０Ａ，３０Ｂ）を備えた（毛髪処理剤入り）充填袋３とから構成されている。
【００１１】
毛髪処理具１は、後述するように、毛髪保持体２内に毛髪を保持した後、充填袋３の個袋３０を開封して毛髪処理剤を毛髪保持体２内に注入し、毛髪保持体２をしごいて該毛髪処理剤を広げて使用される。
【００１２】
毛髪保持体２は、図２に示すように、筒状体２０を主体として構成されている。毛髪保持体２は、毛髪束の挿入口２１及び染毛剤の注入口２２を有している。第１実施形態では、一端部の開口部が毛髪束の挿入口２１とされ、他端部の開口部が染毛剤の注入口２２とされている。第１実施形態における筒状体２０は、無色透明な一対の短冊状のシート２３、２３の両側部２４、２４が接合されて、筒状に形成されている。
【００１３】
筒状体２０の長さＬ２０〔図２（ｂ）参照〕は、処理を施す毛髪の長さに応じて適切な長さに設定され、処理を施す毛髪の長さよりも長く設定されることが好ましく、例えば５０〜６００ｍｍの範囲である。
筒状体２０の開口部（挿入口２１、注入口２２）は、長円形状又は円形状である。筒状体２０の開口部の大きさは、挿入する毛髪束の量に応じて適切な大きさに設定され、例えば長径５〜１００ｍｍ、短径２〜４０ｍｍの範囲である。該長径と該短径とが等しい場合には、筒状体２０の開口部は円形状となる。
【００１４】
筒状体２０を形成するシート２３は、染毛剤に対して非透過性の材料から形成されているため、染毛剤が筒状体２０の外面から外に漏れ出すことはない。そのため、毛髪保持体２に挿入されていない毛髪が染毛されることを防止できる。従って、第１実施形態における毛髪保持体２を用いた染毛処理は、頭髪の部分的な染毛に特に効果的である。また、染毛剤は、毛髪保持体２内に比較的、気密状態で存在することになるので、染毛剤に揮発成分が含まれている場合には、染毛中に該揮発成分が揮発することを防止でき、染毛処理を効率的に行えるという利点もある。
【００１５】
前記シート２３の形成材料としては、ポリエチレン、ポリプロピレン等のポリオレフィン、ポリエチレンテレフタレート等のポリエステル、ナイロン、ポリスチレン、塩化ビニル等の合成樹脂単体で製造されたフィルム、前記合成樹脂をブレンドして製造されたフィルム、前記フィルムを多層にラミネートした合成樹脂フィルム等が好ましく用いられる。
【００１６】
第１実施形態における毛髪保持体２は、挿入口２１から染毛剤が漏れ出ないように、筒状体２０をしごく範囲の終点Ｅが、挿入口２１の近傍に触覚的及び視覚的に分かるように設けられている。ここで、挿入口２１の近傍とは、所望長さの毛髪束を染毛でき且つ筒状体２０から染毛剤が漏れ出ない程度に近いという意味であり、毛髪を染毛する長さ及び筒状体２０に注入された染毛剤の量で適宜決めることができる。
【００１７】
第１実施形態における筒状体２０をしごく範囲の終点Ｅは、筒状体２０に、終点Ｅを示す段差部が設けられることで示されている。該段差部は、筒状体２０の厚み方向に段差を有している。筒状体２０における終点Ｅを示す段差部は、前述の通り、挿入口２１の近傍に設けられており、他の部位よりも厚く設けられている。そのため、筒状体２０を注入口２２から挿入口２１へ向かって指でしごいていくと、指が終点Ｅを示す段差部に当接することによって、筒状体２０をそれ以上しごくことが防止される。尚、終点Ｅを示す段差部は視覚的にも認知が可能である。
【００１８】
筒状体２０における挿入口２１の近傍には、図２に示すように、矩形形状のシート片２５が、筒状体２０の一端部におけるシート２３の外面に接合されており、これにより、筒状体２０における挿入口２１の近傍の厚みが、筒状体２０における他の部位よりも厚くなっている。段差部の段差は、シート片２５の下端縁で形成される。
筒状体２０におけるしごく範囲の終点Ｅを示す部位には、前述の段差部に加えて、シート片２５の外面の部分も含まれる。シート片２５が接合されている部分は、筒状体２０における他の部位よりも厚いため、シート片２５の外面の部分も触覚的及び視覚的に終点Ｅを示す部位として認知される。
【００１９】
シート片２５は矩形形状であり、その厚みは、筒状体２０をしごく範囲の終点Ｅを示す部位が触覚的に明確に分かるようにする観点から、０．１〜５ｍｍ、特に０．５〜２ｍｍであることが好ましい。
シート片２５の幅は、筒状体２０の幅と略同じである。（筒状体２０の長手方向の）シート片２５の長さＬ２５〔図２（ｂ）参照〕は、挿入口２１から染毛剤が漏れ出ることを防止する観点から、５〜１００ｍｍ、特に１０〜４０ｍｍであることが好ましい。シート片２５は、筒状体２０に、シート片２５の一辺と筒状体２０の上端縁とが揃えられて接合されている。
【００２０】
第１実施形態における毛髪保持体２において、筒状体２０をしごく範囲の終点Ｅを示す部位を形成するシート片２５は、筒状体２０における他の部位とは異なる色に着色されていることが好ましい。筒状体２０をしごく範囲の終点Ｅを示す部位が、視覚的にも更に分かり易くなるからである。
【００２１】
第１実施形態における毛髪保持体２において、シート片２５は、有色透明に着色されていてもよいが、シート２３が無色透明であるので、終点Ｅを示す部位が視覚的に一層分かり易くなる観点から、不透明又は半透明に着色されていることが好ましい。
【００２２】
第１実施形態における毛髪保持体２において、シート２３にシート片２５が接合されている部位は、その可撓性が低下し、シート２３における他の部位よりも高剛性を有する高剛性部Ｐとなされている。従って、第１実施形態における毛髪保持体２は、筒状体２０をしごく範囲の終点Ｅを示す部位が、更に触覚的に分かり易くなっている。
【００２３】
高剛性部Ｐのテーバーこわさは、筒状体２０をしごく範囲の終点Ｅを示す部位としての高剛性を確保しつつ、毛髪保持体２の可撓性を維持する観点から、０．５〜１０ｍＮ・ｍ、特に１〜５ｍＮ・ｍであることが好ましい。ここで、高剛性部Ｐのテーバーこわさは、ＪＩＳ−Ｐ８１２５に示される方法で測定される。
【００２４】
シート片２５の形成材料としては、前述したシート２３と同じ材料を用いてもよいが、高剛性部Ｐとして前述した剛性の範囲を得る観点から、特にポリスチレン、ポリエチレンテレフタレート等が好ましく用いられる。
【００２５】
筒状体２０の他端部には、筒状体２０の内部に注入された染毛剤が、注入口２２から流れ出ることを防止するために、開閉自在の封止手段（図示せず）が設けられていることが好ましい。前記封止手段としては、例えばチャックが挙げられる。チャックが設けられることにより、注入口２２の開閉を行うことができる。封止手段としては、チャックの他に、面ファスナ、粘着テープ、自己接着性テープ（例えば仁礼工業製、商品名「ふしぎテープ」）などを用いることもできる。
【００２６】
また、前記封止手段としては、アルミ箔のように可塑性を有し、折り畳んだ状態が維持される部材を、筒状体２０に接合して、封止手段とすることも好ましい。例えば、筒状体２０と同じ幅の縦長矩形のアルミ箔を、筒状体２０に、筒状体２０の他端部側の端縁とアルミ箔の端縁とを揃えて接合する。アルミ箔が接合された筒状体２の他端部の部分を、筒状体２の一端部側に向けて一回又は複数回折り畳むことにより、筒状体２０の他端部を封止することができる。
【００２７】
毛髪保持体２には、筒状体２０の注入口２２の近傍に、充填袋３の個袋３０の口部３１（後述）を挿入する量の目安を示す目印２６が付されている。これにより、個袋３０の口部３１を、注入口２２から一定量挿入することができるようになり、注入口２２から毛髪処理剤が漏出する虞が減少する。ここで、「注入口２２の近傍」とは、個袋３０の口部３１を注入口２２から挿入し、個袋３０をしごいて毛髪処理剤を筒状体２０内に注入する際の反発力で個袋３０の口部３１が注入口２２から外れたり、注入口２２から毛髪処理剤が漏出しない程度の範囲を指す。目印２６の位置は、注入口２２から２０〜６０ｍｍの位置が好ましい。目印２６は、毛髪保持体２の内面又は外面に印刷等の適宜の方法によって付すことができる。
【００２８】
次に、充填袋３について詳述する。充填袋３には、２種類の毛髪処理剤が封入されている。詳細には、図３及び図４に示すように、２個の個袋３０（３０Ａ，３０Ｂ）にそれぞれ個別に毛髪処理剤の第１剤及び第２剤が封入されている。第１実施形態における充填袋３は、各毛髪処理剤が個別に封入された個袋３０Ａ，３０Ｂが一体化されて構成されている。両個袋３０Ａ，３０Ｂは、実質的に同じ構成を有する平坦状の袋からなり、平面方向位置を一致させて厚み方向に重ねられて一体化している。従って、両個袋３０Ａ，３０Ｂが一体化して構成された充填袋３も、平坦状になっている。個袋３０Ａと個袋３０Ｂとの一体化の方法は、特に制限されないが、ホットメルト接着剤や粘着剤を使用した一体化が好ましい。
【００２９】
個袋３０は、開封したときに、毛髪保持体２の注入口２２に挿入可能な先細の口部３１が形成されるように、その外縁がほぼ平行四辺形形状に設けられている。このような形態は、個袋３０を量産する場合に無駄な部分が発生しないため、生産性に優れている。本実施形態では、個袋３０の周縁部は、染毛剤の充填空間Ｓ３０の外輪郭が、平面視で平行四辺形形状となるように所定幅でシールされている。個袋３０には、切り込み３３が設けられており、充填空間Ｓ３０の外輪郭の鋭角部分を切り込み３３から引き裂いて口部３１を開封することにより、注ぎ口３２が形成される。
【００３０】
個袋３０の形成材料としては、アルミニウム蒸着フィルムやアルミニウム箔、エチレンビニルアルコールコポリマーのようなバリア性材料を、ポリエチレン樹脂やエチレン酢酸ビニル樹脂などの低融点の合成樹脂でサンドウィッチしたフィルム等が好ましく用いられる。
シール方法は、形成材料に合わせて接着剤によるシール方法を採用してもよく、ヒートシールや超音波シール等のシール方法を採用してもよい。
【００３１】
毛髪処理剤を個別に収容した個袋３０Ａ，３０Ｂは、その一面が他面よりも剛性が高くなされていることが好ましい。このように個袋３０の一面の剛性を高めておくことで、切り込み３３から引き裂いて注ぎ口３２を形成し易くなる他、注ぎ口３２から毛髪処理剤を排出するときに個袋３０を絞りやすくなる。剛性を高める面は、最も外側の面が好ましい。ここで、剛性は、ＪＩＳ−Ｐ８１２５に示される方法で測定されるテーバーこわさで表すことができる。剛性を高めた面のテーバーこわさは、上述した観点から、１〜１０ｍＮ・ｍであることが好ましい。
【００３２】
個袋３０Ａ，３０Ｂに充填する毛髪処理剤には、例えば２剤式の毛髪処理剤を用いることができる。２剤式の毛髪処理剤を使用する場合、毛髪処理剤を筒状体２０内に注入し、指でしごいて、毛髪束に塗り広げて使用することが好ましい。毛髪処理剤の充填量は、毛髪保持体２の大きさや保持する毛髪束の量にもよるが、第１実施形態のような染毛剤の場合には、２〜２０ｍｌが好ましい。
【００３３】
複数種類の毛髪処理剤の粘度は、後述するように、毛髪処理剤を混合して毛髪処理を行う場合に、毛髪に供給する前における毛髪処理剤の予備混合を省略できるようにする観点から、０．４〜９０００ｍＰａ・ｓであり、好ましくは１〜４０００ｍＰａ・ｓ、更に好ましくは４００〜４０００ｍＰａ・ｓである。粘度がかかる範囲であると、複数種類の毛髪処理剤を筒状体内に注入し、毛髪処理剤を指でしごいて広げるという動作のみでの充分混合でき、さらに筒状体内に均一に分散された毛髪処理剤が、重力によって筒状体内で偏りが生じることなく分散性が良好となり、その結果、毛髪処理の仕上がりを良好なものにすることができる。ここで、粘度は、毛髪処理剤が３０℃の状態において、Ｂ型粘度計（ローターＮｏ．４）を用いて測定される（前記のローターを６０秒間回転させた時の粘度を測定）。
【００３４】
前述の範囲の粘度を有する毛髪処理剤としては、例えば、第１剤として、アンモニア及びその塩、モノエタノールアミン等のアルカリ剤、酸化染料中間体及び直接染料等の染料、高級アルコール、油性成分並びに界面活性剤からなる群から選択される１種以上が含有され、第２剤として、過酸化水素水、油剤、高級アルコール及び界面活性剤からなる群から選択される１種以上が含有されている毛髪処理剤組成物が挙げられる。
【００３５】
次に、本発明の毛髪処理方法の好ましい実施態様について、前述した第１実施形態の毛髪処理具１を使用した毛髪処理方法に基づいて、図面を参照しながら説明する。
【００３６】
先ず、図５（ａ）に示すように、毛髪処理具２の挿入口２１から、処理を施す毛髪束Ｈを筒状体２０内に挿入して保持する。染毛する際に用いる筒状体２０の長さは、毛髪束Ｈの全体を染毛する観点から、毛髪束Ｈの長さよりも長いことが好ましい。
【００３７】
挿入口２１から毛髪束Ｈを筒状体２０の内部へ挿入するときには、毛髪挿入具（図示せず）を用いることが好ましい。この毛髪挿入具は、一方の端部に、毛髪束を係止するための係止部を有し、他方の端部に把持部を有していることが好ましい。毛髪挿入具は、毛髪保持体２内に挿入されて使用される。毛髪挿入具は、毛髪保持体２内に挿入された状態では、前記係止部が挿入口２１から露出し、前記把持部が注入口２２から露出する長さを有するものが好ましい。このような毛髪挿入具としては、例えば、特開２００３−９３１３３号公報、米国特許出願公開第２００４／２１６７５９号明細書に記載のものが挙げられる。
【００３８】
そして、前記毛髪挿入具の係止部に毛髪束Ｈを係止する（図示せず）。この際、毛髪束Ｈにおける頭皮に近い部分を係止部に係止することが好ましい。係止部に毛髪束Ｈを係止した状態で、把持部を把持して引っ張り、毛髪束Ｈを筒状体２０の内部に挿入する。毛髪束Ｈは、筒状体２０の内部で、図５（ａ）に示すように、概ね直線状に伸ばされた状態となる。
【００３９】
毛髪保持体２は、図５（ａ）〜（ｃ）に示すように、一端部の挿入口２１から筒状体２０の内部に挿入された毛髪束Ｈに、他端部の注入口２２から筒状体２０の内部に注入された染毛剤Ｄを、注入口２２から挿入口２１へ向けて筒状体２０をしごいて塗り広げて、毛髪束Ｈを筒状体２０の内部で染毛処理するために用いられることが好ましい。染毛処理の際には、筒状体２０の長手方向において、挿入口２１を有する一端部側を上方にし、注入口２２を有する他端部側を下方に位置させることが好ましい。
【００４０】
次に、図５（ａ）に示すように、染毛剤Ｄが収容された充填袋３を用い、個袋３０の口部３１を切り込み３３から引き裂いて注ぎ口３２を形成し、注ぎ口３２を筒状体２０の注入口２２に挿入する。そして、個袋３０をしごいて染毛剤Ｄを筒状体２０内に注入する。
【００４１】
次に、図５（ｂ）に示すように、毛髪保持体２の他端部を両手で摘み、一方の手で他端部を摘んだ状態で、図５（ｃ）に示すように、注入口２２から挿入口２１へ向けて、筒状体２０の両面を他方の手の指でしごき、染毛剤を毛髪束Ｈに塗り広げる。染毛剤は、前述した範囲の大きさの粘度を有しているため、しごかれて広げられるだけで、自然に混合する。
【００４２】
このとき、筒状体２０におけるしごく範囲の終点Ｅを示す部位の段差を視認できると共に、他方の指が該段差に触れることで、筒状体２０をそれ以上しごくことを止めることができるため、染毛剤が挿入口２１から漏れ出ることを防止できる。第１実施形態における毛髪保持体２において、筒状体２０をしごく範囲の終点Ｅを示す部位は、前述のように触覚的及び視覚的に認知され得る。
【００４３】
また、筒状体２０がしごかれることにより、筒状体２０の内部の染毛剤は、注入口２２から挿入口２１へ向けて、毛髪を浸しながら移動し、筒状体２０をしごく範囲の終点Ｅを示す部位までしごかれて移動した染毛剤の残りの部分により、終点Ｅを示す部位よりも挿入口２１側の毛髪束Ｈの部分が染毛される。
【００４４】
第１実施形態では、個袋３０の注ぎ口３２から筒状体２０の注入口２２を通して注入される染毛剤は、筒状体２０の内部に挿入された毛髪束Ｈの全体に塗布できる適量であるので、筒状体２０をしごく範囲の終点Ｅを示す部位までしごかれて移動した染毛剤は、挿入口２１から漏れ出る虞がない。
【００４５】
尚、筒状体２０に前記封止手段が設けられている場合には、毛髪束Ｈの全体に染毛剤の塗布を終えた後、該封止手段によって注入口２２を封止することが好ましい。
所望により、複数の毛髪保持体２を用いて同様の染毛剤の塗布操作を繰り返し、所定時間放置する。その後、毛髪束Ｈを毛髪保持体２から取り出し、毛髪束Ｈについてすすぎ洗いをし、更にシャンプー及びブローをすることが好ましい。
【００４６】
以上説明したように、第１実施形態の毛髪処理具１及び前記実施態様の毛髪処理方法によれば、２種類の毛髪処理剤（第１剤，第２剤）が、前述した範囲の大きさの粘度を有しているため、毛髪保持体２内に供給された毛髪処理剤は、しごかれて広げられるだけで、自然に混合する。従って、２種類の毛髪処理剤を混合して毛髪処理を行う場合に、毛髪に供給する前における毛髪処理剤の予備混合を省略でき、毛髪処理剤を無駄にすることなく、簡便に毛髪処理を行うことができる。
【００４７】
また、毛髪保持体２と、適量の染毛剤が封入された充填袋３とが一対となっているため、毛髪に適量の染毛剤を確実に供給可能であり、染毛剤の過不足による染めムラ等をなくすことできる。また、毛髪に部分的に違った色で染毛処理を施す場合でも、無駄なく行うことができる。また、異なる色で染毛処理を行うときにも、染毛剤の誤使用による染め間違いを防ぐことができる。
また、筒状体２０をしごく範囲の終点Ｅを示す部位が、触覚的に分かるようになされているので、例えば、一人で自分の毛髪の染毛処理を行う際にも、染毛剤が筒状体２０から漏れ出ることがない。
【００４８】
次に、本発明の毛髪処理具の他の実施形態について説明する。他の実施形態の毛髪処理具は、充填袋３の形態が異なる以外は、第１実施形態の毛髪処理具と同様の構成を有している。よって、以下においては、充填袋３について説明し、毛髪保持体についての説明は省略する。また、特に説明のない部分については、第１実施形態における説明が適宜適用される。
【００４９】
第２〜第６実施形態における充填袋３は、充填袋３の個袋３０の口部３１を毛髪保持体２の注入口２２に挿入したときに充填袋３の抜け落ちを防ぐ「抜け落ち防止構造」を有しており、それ以外については、第１実施形態における充填袋３と同様の構成を有している。ここで、充填袋３の抜け落ち防止構造とは、充填袋３の個袋３０の口部３１を毛髪保持体２の注入口２２に挿入して毛髪処理剤を毛髪保持体２の内部に注入するときには、充填袋３が注入口２２から抜け落ちることがなく、一方、毛髪処理剤の注入が完了した後には、人手で容易に充填袋３を注入口２２から取り外すことができる構造をいう。
第２〜第６実施形態の毛髪処理具においては、充填袋３は、対称軸である折曲線Ｃに沿って充填袋３を半分に折り、その後、上端部を開封して注ぎ口３２を形成してから、毛髪保持体２の他端部に存する注入口２２に挿入して使用される。
【００５０】
第２実施形態の毛髪処理具は、図６に示すように、毛髪保持体２の幅Ｗ２及び個袋３０の幅Ｗ３を特定の寸法関係とし、両者間の摩擦力によって充填袋３の抜け落ち防止構造を構成している。
第２実施形態においては、毛髪保持体２を構成する短冊状のシート２３、２３の接合部分である両側部２４、２４を除いた部分の幅（つまり、毛髪保持体２の内部の幅）をＷ２とした場合に、半分に折られたときの充填袋３の最大外形幅（つまり、毛髪保持体２の内部に挿入される状態の幅）Ｗ３を、前記幅Ｗ２の０．９〜１．２倍とすることが好ましく、１．０〜１．１倍とすることが更に好ましい。
【００５１】
開封によって注ぎ口３２が形成される個袋３０の上端部（口部３１）は、毛髪保持体２の注入口２２への個袋３０の口部３１の挿入のし易さの観点から、図６（ｂ）及び（ｃ）に示すように、山形に形成し、上端に進むにつれて個袋３０の幅を徐々に狭くすることが好ましい。個袋３０の上端部の幅は、本実施形態のように直線的に狭くすることができ、あるいは曲線的に狭くすることもできる（図示せず）。
【００５２】
第２実施形態の毛髪処理具によれば、第１実施形態による効果と同様の効果が奏される他、毛髪の処理の際に毛髪保持体２から充填袋３が脱落する虞がないので、より使いやすい。
【００５３】
第３実施形態の毛髪処理具は、図７に示すように、毛髪保持体２と充填袋３とを粘着剤の粘着力によって粘着させることによって、充填袋３の抜け落ち防止構造を構成している。充填袋３は、対称軸である折曲線Ｃに沿って充填袋３を半分に折り、上端部を開封して注ぎ口３２を形成し、毛髪保持体２の他端部に存する注入口２２に挿入して使用される。
【００５４】
第３実施形態においては、図７に示すように、半分に折られた充填袋３の外面（毛髪保持体２の内面と接する面）に粘着剤が塗工されて、粘着部３４が形成されており、この粘着部３４の粘着力によって抜け落ち防止構造を構成している。粘着部３４は、毛髪保持体２の注入口２２への個袋３０の口部３１の挿入のし易さ及び良好な着脱可能な状態を得る観点から、個袋３０の注ぎ口３２の先端から５〜４０ｍｍの位置に、直径２〜２０ｍｍの円状に形成されることが好ましい。
粘着部３４は、充填袋３の外面の両面に設けることが好ましいが、片面のみに設けてもよい。粘着剤としては、一般的に使用される粘着剤を特に制限なく使用できるが、毛髪処理剤を毛髪保持体２内に注入した後に、充填袋３を人手によって抜き取ることができる程度の粘着力を有する粘着剤を使用することが好ましい。
【００５５】
第３実施形態の毛髪処理具によれば、第１実施形態による効果と同様の効果が奏される他、毛髪の処理の際に毛髪保持体２から充填袋３が脱落する虞がないので、より使いやすい。
【００５６】
第４実施形態の毛髪処理具は、毛髪保持体２と充填袋３とを係止させることによって、充填袋３の抜け落ち防止構造を構成している。
第４実施形態の毛髪処理具においては、図８に示すように、半分に折られた充填袋３における、折られて形成された稜線上に係止凸部３５が設けられている。係止凸部３５の形状は、充填袋３の脱落を防止する観点から、個袋３０の注ぎ口３２から個袋３０の底部に向かって幅が広がるような矢先形状が好ましい。
係止凸部３５は、充填袋３とは別の部材を充填袋３に接合して形成してもよく、あるいは充填袋３をカッティング加工して、その外面の一部が係止凸部３５となるように形成してもよい。
【００５７】
係止凸部３５の位置は、毛髪保持体２の注入口２２への個袋３０の口部３１の挿入のし易さ及び良好な着脱可能な状態を得る観点から、個袋３０の注ぎ口３２の先端から５〜３０ｍｍの位置とすることが好ましい。また、係止凸部３５の位置は、同じ観点から、半分に折られた充填袋３の最大外形幅Ｗ３を、係止凸部３５の突出高さｈを含めて、毛髪保持体２の幅Ｗ２〔図６（ａ）参照〕の０．９〜１．２倍とすることが好ましく、特に１．０〜１．１倍とすることが好ましい。
係止凸部３５は、本実施形態では、半分に折られて形成された稜線上に設けられているが、これに制限されず、個袋３０の外面の少なくとも片側に設けてもよい。また、係止凸部３５の突出高さｈは、適宜設計されるが、２〜５ｍｍが好ましく、また、徐々に最大幅になるように滑らかに形成されることが好ましい。
【００５８】
第４実施形態の毛髪処理具によれば、第１実施形態による効果と同様の効果が奏される他、毛髪の処理の際に毛髪保持体２から充填袋３が脱落する虞がないので、より使いやすい。
【００５９】
第５実施形態の毛髪処理具は、図９に示すように、半分に折られた充填袋３が元に戻ろうとする反発力を利用することによって、充填袋３の抜け落ち防止構造を構成している。
【００６０】
第５実施形態の毛髪処理具は、毛髪保持体２の注入口２２への個袋３０の口部３１の挿入のし易さ及び良好な着脱可能な状態を得る観点から、毛髪保持体２を構成する短冊状のシート２３、２３の接合部分である両側部２４、２４を除いた部分の毛髪保持体２の幅をＷ２〔図６（ａ）参照〕とした場合に、半分に折られた充填袋３の最大外形幅Ｗ３を前記幅Ｗ２の１．２〜２．０倍とすることが好ましく、特に１．３〜１．８倍とすることが好ましい。
また、開封によって注ぎ口３２が形成される個袋３０の上端部は、同じ観点から、山形に形成し、上端に進むにつれて個袋３０の幅を徐々に狭くすることが好ましい。更に、充填袋３における折り返されて形成された稜線周辺に位置する毛髪処理剤が排出され易くするため、対称軸である折り曲げ線Ｃを中心に、シール幅Ｗ３６が１〜２ｍｍ程度のヒートシール部３６を設けることが好ましい。
【００６１】
第５実施形態の毛髪処理具によれば、第１実施形態による効果と同様の効果が奏される他、毛髪の処理の際に毛髪保持体２から充填袋３が脱落する虞がないので、より使いやすい。
【００６２】
第６実施形態の毛髪処理具における充填袋３は、図１０に示すように、図６（ｂ）及び（ｃ）に示す第２実施形態における充填袋３に比して、個袋３０の上端部に摘み部３８が設けられている点で異なり、それ以外は、第２実施形態における充填袋３と同様の構成を有している。詳細には、開封によって注ぎ口３２が形成される個袋３０の上端部は、毛髪保持体２の注入口２２への個袋３０の注ぎ口３２の挿入のし易さの観点から、図１０（ａ）に示すように、山形に形成され、上端に進むにつれて個袋３０の幅を徐々に狭くなっている。一方、摘み部３８は、山形に形成された個袋３０の上端部との間に、注ぎ口３２を形成するノッチ３９が形成されるように、充填袋３の幅方向外方に延出するように設けられている。
【００６３】
第６実施形態における充填袋３は、図１０（ｂ）に示すように、対称軸である折曲線Ｃに沿って半分に折り、その後、一対の個袋３０それぞれの摘み部３８を併せて摘んで、個袋３０の上端部を、ノッチ３９から引き裂いて容易に開封して注ぎ口３２を容易に形成することができる。
【００６４】
本発明の毛髪処理具は、前述した実施形態に制限されることなく、本発明の趣旨を逸脱しない限り適宜変更が可能である。
例えば、前記実施形態では、筒状体２０をしごく範囲の終点Ｅを、厚み（段差）、色及び剛性の違いによって認識できるようにしたが、何れか一つの手法を採用することもできる。
また、厚み、色及び剛性の違い以外に、表面粗さや材質の違い等によって終点を認識できるようにすることもできる。この場合、表面粗さＲｚ（十点平均粗さ）の間に１０μｍ以上の差があれば、終点Ｅを示す部位は、触覚的及び視覚的に認知され得る。具体的には、シート片２５として、シート２３よりも表面粗さの大きい材質、例えば不織布を用いればよい。
【００６５】
シート片２５は、一対のシート２３，２３それぞれと一体的に形成されていてもよい。シート片２５は、凹凸を有していてもよい。また、シート２３における高剛性部Ｐの部分は、シート２３の他の部位とは異なる色に着色されていてもよく、シート２３の他の部位と同じ剛性を有していてもよい。
【００６６】
筒状体２０におけるしごく範囲の終点Ｅを示す部位は、筒状体２０の厚み方向の段差の代わりに、なだらかな傾斜を有していてもよい。この場合にも、挿入口２１の近傍は、他の部位よりも厚みが大きいため、終点Ｅとして機能する。また、筒状体２０における終点Ｅを示す部位は、他の部位よりも厚みが小さく形成されていてもよい。
【００６７】
充填袋３は、半分に折ることなく、初めから、折り曲げた状態の外形、即ち一辺のみが傾斜している矩形形状を有していてもよい。
例えば、第２実施形態においては、充填袋３を一辺のみが傾斜している矩形形状とし、毛髪保持体２の幅Ｗ２と充填袋３の幅Ｗ３との寸法関係を前述の通りにすれば、充填袋３の個袋３０の口部３１を毛髪保持体２の注入口２２に挿入した際に、充填袋３の抜け落ち防止構造を構成することができる。
第３実施形態においては、充填袋３を一辺のみが傾斜している矩形形状とし、充填袋３の外面の少なくとも一方の面に粘着剤による粘着部を設けることにより、充填袋３の抜け落ち防止構造を構成することができる。
第４実施形態においては、充填袋３の外面上に係止部を設けることにより、充填袋３の抜け落ち防止構造を構成することができる。
【００６８】
第５実施形態においては、充填袋３の形状を、図１１に示すように、初めから、例えば一辺のみが傾斜している矩形形状にして、任意の折り曲げ線Ｃで折り曲げ、図１１に示す斜線ハッチング部分（折り曲げ線Ｃの左側部分）を全てヒートシールしてシール部３７を形成することができる。該シール部３７に毛髪処理剤が充填されることを防止することによって、個袋３０の折り返した部分周辺の毛髪処理剤を排出し易くすることができる。そして、シール部３７が元に戻ろうとする反発力を利用することにより、充填袋３の抜け落ち防止構造を構成することができる。
【００６９】
充填袋３は、例えば、図１２（ａ）に示すような、平面視で台形状の外形を有する形態の個袋３０を採用することができ、あるいは図１２（ｂ）に示すような、先細の突出部を有する形態の個袋３０を採用することもできる。この場合には、図１２に示す破線の部分を切り取って注ぎ口３２を形成するように、切り込み（図示せず）を設けることが好ましい。
各実施形態における各要件は、各実施形態間で適宜相互に置換可能である。
【００７０】
個袋３０は、必ずしも、開封したときに、毛髪保持体２の注入口２２に挿入可能な口部３１が形成されるようになっていなくてもよい。該口部３１が形成されるようになっているか否かにかかわらず、充填袋３を毛髪保持体２の注入口２２に挿入することなく、毛髪保持体２の注入口２２を大きく開口させて、毛髪処理剤を注入口２２から注入してもよい。
【００７１】
毛髪処理剤は、挿入口２１から筒状体２０内に注入し、毛髪束の毛先に向かって筒状体２０をしごいて塗り広げることもできる。この場合には、筒状体２０の注入口２２には、筒状体２０の内部に注入された染毛剤が流れ出ることを防止するために、前述の封止手段が設けられているか、あるいはヒートシール等のシール方法によって封止されていることが好ましい。更に、筒状体２０における終点Ｅを示す部位が、封止された注入口２２の近傍に設けられていることが好ましい。
【００７２】
本発明の毛髪処理方法は、前述した実施態様に制限されることなく、本発明の趣旨を逸脱しない限り適宜変更が可能である。
また、本発明の毛髪処理具及び毛髪処理方法は、前記実施形態又は前記実施態様のような染毛処理以外にも、ストレートパーマ等のパーマネント処理に適用することもできる。つまり、本発明における毛髪処理剤としては、染毛剤以外にも、パーマネント処理剤が挙げられる。充填袋の個袋に個別に封入される毛髪処理剤の種類は、２種類に制限されず、３種類以上でもよい。毛髪処理剤が３種類以上の場合には、それに応じて充填袋に個袋を３個以上設ければよい。
【実施例】
【００７３】
以下、実施例により本発明を更に詳細に説明する。しかしながら、本発明の範囲はかかる実施例に制限されるものではない。
【００７４】
本実施例で使用した毛髪処理具は、前述した第１実施形態と同様に構成されており、毛髪束が挿入されて保持される筒状の毛髪保持体と、毛髪保持体内に注入される適量の２種類の染毛剤（毛髪処理剤）がそれぞれ個別に封入された２個の個袋を備えた（毛髪処理剤入り）充填袋とから構成されている。
まず、前記染毛剤の第１剤の実施処方例１〜３及び比較処方例１〜２を、それぞれ下記表１に示すように調製した。また、前記染毛剤の第２剤の実施処方例１〜３及び比較処方例１〜２を、それぞれ下記表２に示すように調製した。下記表１及び表２において、各成分について記載されている数値の単位は重量％である。
【００７５】
【表１】
2009100961.tif 000003
【００７６】
【表２】
2009100961.tif 000004
【００７７】
〔実施例１〕
毛髪処理剤として、下記表３に示すように、粘度が４０００ｍＰａ・ｓの第１剤（上記表１の実施処方例１）と、粘度が４０００ｍＰａ・ｓの第２剤（上記表２の実施処方例１）とからなる染毛剤を用いた。第１実施形態における充填袋３の各個袋３０，３０にそれぞれ前記第１剤及び第２剤を封入した。図５（ａ）に示すように、毛髪束Ｈを挿入口２１から毛髪保持体２に挿入した。次に、充填袋３の口部３１を開封し、注ぎ口３２を毛髪保持体２の注入口２２に挿入し、染毛剤Ｄを予備混合することなく、毛髪保持体２内に注入した。
【００７８】
次いで、図５（ｂ）に示すように、毛髪保持体２の他端部を両手で摘み、一方の手で他端部を摘んだ状態で、図５（ｃ）に示すように、注入口２２から挿入口２１へ向けて、筒状体２０の両面を他方の手の指でしごき、染毛剤を毛髪束Ｈに塗り広げた。
その後、下記〔混合性の評価方法〕、下記〔分散性の評価方法〕及び下記〔染毛性の評価方法〕に従い、染毛剤の混合性、分散性及び染毛性について評価した。その結果を下記表３に示す。
【００７９】
〔実施例２〜９，比較例１〜１６〕
実施例１において、毛髪処理剤として、下記表３〜表５に示す第１剤と第２剤との組み合わせを用いた以外は実施例１と同様にし、下記〔混合性の評価方法〕、下記〔分散性の評価方法〕及び下記〔染毛性の評価方法〕に従い、染毛剤の混合性、分散性及び染毛性について評価した。これらの結果を下記表３〜表５に示す。
【００８０】
〔混合性の評価方法〕
染毛剤が塗り広げられた毛髪束を目視観察し、染毛剤の混合性を評価した。その評価基準を以下に示す。
◎：第１剤と第２剤とは、未混合部分を視認できない程度に十分に混合している。
○：第１剤と第２剤とは混合しているが、若干（問題がない程度）の剤の未混合部分が認められる。
△：第１剤と第２剤とは全く混合しない。粘度の低い第１剤または第２剤のみが広がる。
×：第１剤と第２剤とは全く混合しない。両剤共に広がらない。
【００８１】
〔分散性の評価方法〕
染毛剤が塗り広げられた後、一定時間（本実施例では１５分間）放置中に、混合した染毛剤の筒状体内での分散性を目視観察し、評価した。その評価基準を以下に示す。
◎：染毛剤が筒状体内で、偏りを視認できない程度に十分に分散していて、毛髪束全体に接触している。
○：染毛剤が筒状体内で、若干（問題がない程度）の分散の偏りが認められる。
△：染毛剤が筒状体内で、やや下方に偏りが認められ、毛髪束に十分に接触していない部分が認められる。
×：染毛剤が筒状体内で下方に偏り、分散が不十分であり毛髪束の一部部分のみ接触している。
【００８２】
〔染毛性の評価方法〕
次いで、染毛性について評価した。その評価基準を以下に示す。尚、当該染毛性の評価は、本発明の総合的評価の位置付けであり、上記混合性及び分散性の両方の性能の影響を受ける評価である。
◎：毛髪束全体が均一に染まっている。
○：毛髪束全体がほぼ均一に染まっている
△：毛髪束の一部分が均一に染まっていない
×：毛髪束の染まりが均一でない
【００８３】
【表３】
2009100961.tif 000005
【００８４】
【表４】
2009100961.tif 000006
【００８５】
【表５】
2009100961.tif 000007
【００８６】
前記表３〜表５に示す結果から、例えば以下のことがわかる。
混合性の評価結果について：表３に示すように、実施例１〜９は、第１剤及び第２剤の粘度が何れも０．４〜９０００ｍＰａ・ｓの範囲にあるため、混合性の評価結果が◎又は○となり、混合性は良好であった。特に、第１剤及び第２剤の粘度が何れも４００〜４０００ｍＰａ・ｓである場合には、混合性の評価は最高評価の◎であった（実施例１，２及び４）。一方、比較例１〜６及び１１〜１３は、第１剤及び第２剤の一方の粘度が１００００ｍＰａ・ｓであり、９０００ｍＰａ・ｓを超えているため、混合性の評価は最低評価の×でとなった。
【００８７】
分散性の評価結果について：表３に示すように、実施例１〜９は、第１剤及び第２剤の粘度が何れも０．４〜９０００ｍＰａ・ｓの範囲にあるため、分散性の評価結果が◎〜△となり、分散性は概ね良好であった。特に、第１剤及び第２剤の粘度が何れも４００〜４０００ｍＰａ・ｓである場合には、分散性の評価は最高評価の◎であった（実施例１，２及び４）。一方、比較例１〜６及び１１〜１３は、第１剤及び第２剤の一方の粘度が１００００ｍＰａ・ｓであり、９０００ｍＰａ・ｓを超えているため、分散性の評価は最低評価の×となった。また、比較例５〜１０及び１４〜１６は、第１剤及び第２剤の一方の粘度が０．３ｍＰａ・ｓであり、０．４ｍＰａ・ｓ未満であるため、分散性の評価は△〜×となった。
【００８８】
染毛性の評価結果について：実施例１〜９は、第１剤及び第２剤の粘度が何れも０．４〜９０００ｍＰａ・ｓの範囲にあるため、分散性の評価結果が◎又は○となり、本発明の総合的評価の位置付けである染毛性の評価は、良好であった。特に、第１剤及び第２剤の粘度が何れも４００〜４０００ｍＰａ・ｓである場合には、染毛性の評価は最高評価の◎であった（実施例１，２及び４）。一方、比較例１〜６及び１１〜１３は、第１剤及び第２剤の一方の粘度が１００００ｍＰａ・ｓであり、９０００ｍＰａ・ｓを超えているため、染毛性の評価は最低評価の×となった。また、比較例５〜１０及び１４〜１６は、第１剤及び第２剤の一方の粘度が０．３ｍＰａ・ｓであり、０．４ｍＰａ・ｓ未満であるため、染毛性の評価は△〜×となった。
【図面の簡単な説明】
【００８９】
【図１】図１は、本発明の第１実施形態の毛髪処理具を示す斜視図である。
【図２】図２は、第１実施形態における毛髪保持体を示す図で、（ａ）は平面図、（ｂ）は（ａ）に示すＸ−Ｘ線断面図である。
【図３】図３は、第１実施形態における充填袋を示す平面図である。
【図４】図４は、図３に示す充填袋の分解斜視図である。
【図５】図５は、第１実施形態の毛髪処理具を用いた本発明の毛髪処理方法の一実施態様を模式的に示す図で、（ａ）は毛髪保持体に個袋の口部を挿入して注ぎ口から毛髪処理剤を注入している状態を示す図、（ｂ）は毛髪保持体をしごく前の状態を示す図、（ｃ）は毛髪保持体をしごいている様子を示す図である。
【図６】図６は、本発明の第２実施形態の毛髪処理具を模式的に示す平面図で、（ａ）は毛髪保持体を示す図、（ｂ）は広げた状態の充填袋を示す図、（ｃ）は半分に折った状態の充填袋を示す図である。
【図７】図７は、本発明の第３実施形態における充填袋を模式的に示す平面図で、（ａ）は広げた状態を示す図、（ｂ）は半分に折った状態を示す図である。
【図８】図８は、本発明の第４実施形態における充填袋を模式的に示す平面図で、（ａ）は使用前の状態を示す図、（ｂ）は（ａ）に示すＡの部分の拡大図である。
【図９】図９は、本発明の第５実施形態における、半分に折った状態の充填袋を模式的に示す平面図〔図６（ｃ）相当図〕である。
【図１０】図１０は、本発明の第６実施形態における充填袋を模式的に示す平面図で、（ａ）は広げた状態を示す図、（ｂ）は半分に折った状態を示す図である。
【図１１】図１１は、本発明の他の実施形態における充填袋を模式的に示す平面図である。
【図１２】図１２（ａ）及び（ｂ）は、本発明の更に他の実施形態における充填袋を模式的に示す平面図である。
【符号の説明】
【００９０】
１  毛髪処理具
２  毛髪保持体
２０  筒状体
２１  挿入口
２２  注入口
２３  シート
２４  両側部
２５  シート片
３  充填袋
３０  個袋
３１  口部
３２  注ぎ口
Ｄ  染毛剤（毛髪処理剤）
Ｐ  高剛性部
Ｈ  毛髪束
【図１】
2009100961.tif 000008
【図２】
2009100961.tif 000009
【図３】
2009100961.tif 000010
【図４】
2009100961.tif 000011
【図５】
2009100961.tif 000012
【図６】
2009100961.tif 000013
【図７】
2009100961.tif 000014
【図８】
2009100961.tif 000015
【図９】
2009100961.tif 000016
【図１０】
2009100961.tif 000017
【図１１】
2009100961.tif 000018
【図１２】
2009100961.tif 000019